【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
アクセス端末における通信方法であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信することと、ここにおいて、前記ブロードキャストメッセージは、競合タイプインジケータ、タイミング前進インジケータ、またはそれらの組み合わせを備え、前記競合タイプインジケータは、前記ＰＲＡＣＨ上での送信のために競合が有効であるかどうか、およびどの程度有効であるかを示す、
前記競合タイプインジケータに基づいて前記ＰＲＡＣＨ上での送信のために競合が有効であるかどうか、およびどの程度有効であるかを、前記タイミング前進インジケータに基づいて前記ＰＲＡＣＨ上での送信のためにアップリンク送信オフセットが有効であるかどうかを、またはそれらの組み合わせを決定することと、
前記決定することに基づいて、アップリンクシグナリングのために構成された部分において１つまたは複数のサブフレーム上で前記ＰＲＡＣＨを介するシグナリングを送信することと、ここにおいて、前記送信することは、前記競合タイプインジケータに関して前記決定することに基づいて、前記シグナリングのための通信媒体へのアクセスのために選択的に競合することを備える、
を備える、通信方法。
【請求項２】
前記送信することは、前記タイミング前進インジケータに関して前記決定することに基づいて、サブフレーム境界に関する修正された開始時間に行われる、請求項１に記載の方法。
【請求項３】
前記ＰＲＡＣＨは、（i）所与のサブフレームに関連付けられた前記シンボル期間の全てを占有するロングＰＲＡＣＨフォーマット、または（ii）所与のサブフレームに関連付けられた前記シンボル期間の全てに満たないサブセットを占有するショートＰＲＡＣＨフォーマットに対応する、請求項１に記載の方法。
【請求項４】
前記ブロードキャストメッセージは、クリアチャネルアセスメント（ＣＣＡ）閾値インジケータ、ＣＣＡ持続期間インジケータ、またはそれらの組み合わせをさらに備える、請求項１に記載の方法。
【請求項５】
前記シグナリングが送信される前記アップリンク部分は、ＰＲＡＣＨ送信のために構成されたサブフレームの終端に位置付けられ、前記送信することは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく行われる、請求項１に記載の方法。
【請求項６】
前記シグナリングが送信される前記アップリンク部分は、ＰＲＡＣＨ送信のために構成されたサブフレームの始端に位置付けられ、前記送信することは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく行われる、請求項１に記載の方法。
【請求項７】
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信することをさらに備える、請求項１に記載の方法。
【請求項８】
前記ＰＲＡＣＨは、遮断された送信機会に後続する日和見的な送信のために予約された１つまたは複数のシンボル期間にわたる１つまたは複数のリソースブロック（ＲＢ）を備える、請求項１に記載の方法。
【請求項９】
前記ＰＲＡＣＨ内の第２のシンボルのために、または第２のＰＲＡＣＨ試行のために、復調基準信号（ＤＭＲＳ）シーケンスの割り振られたセットからランダムアクセスプリアンブルを送信することをさらに備え、前記ランダムアクセスプリアンブルは、（i）第１のＤＭＲＳシーケンスと同一である、（ii）前記第１のＤＭＲＳシーケンスとは完全に異なる、または（iii）前記第１のＤＭＲＳシーケンスの周期的にシフトされたバージョンである、第２のＤＭＲＳシーケンスに対応する、請求項１に記載の方法。
【請求項１０】
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信することをさらに備える、請求項１に記載の方法。
【請求項１１】
サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を送信することをさらに備える、請求項１に記載の方法。
【請求項１２】
ランダムアクセスプロシージャの一部として無線リソース制御（ＲＲＣ）リクエストメッセージの単一の送信または自律的再送信のためにアクセス端末を構成することをさらに備える、請求項１に記載の方法。
【請求項１３】
通信装置であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するための手段と、ここにおいて、前記ブロードキャストメッセージは、競合タイプインジケータ、タイミング前進インジケータ、またはそれらの組み合わせを備え、前記競合タイプインジケータは、前記ＰＲＡＣＨ上での送信のために競合が有効であるかどうか、およびどの程度有効であるかを示す、
前記競合タイプインジケータに基づいて前記ＰＲＡＣＨ上での送信のために競合が有効であるかどうか、およびどの程度有効であるかを、前記タイミング前進インジケータに基づいて前記ＰＲＡＣＨ上での送信のためにアップリンク送信オフセットが有効であるかどうかを、またはそれらの組み合わせを決定するための手段と、
前記決定することに基づいて、アップリンクシグナリングのために構成された部分において１つまたは複数のサブフレーム上で前記ＰＲＡＣＨを介するシグナリングを送信するための手段と、ここにおいて、前記送信することは、前記競合タイプインジケータに関して前記決定することに基づいて、前記シグナリングのための通信媒体へのアクセスのために選択的に競合することを備える、
を備える、通信装置。
【請求項１４】
少なくとも１つのプロセッサによって実行されるとき、通信のための動作を前記少なくとも１つのプロセッサに行わせるコードを備える非一時的コンピュータ可読媒体であって、前記非一時的コンピュータ可読媒体は、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するためのコードと、ここにおいて、前記ブロードキャストメッセージは、競合タイプインジケータ、タイミング前進インジケータ、またはそれらの組み合わせを備え、前記競合タイプインジケータは、前記ＰＲＡＣＨ上での送信のために競合が有効であるかどうか、およびどの程度有効であるかを示す、
前記競合タイプインジケータに基づいて前記ＰＲＡＣＨ上での送信のために競合が有効であるかどうか、およびどの程度有効であるかを、前記タイミング前進インジケータに基づいて前記ＰＲＡＣＨ上での送信のためにアップリンク送信オフセットが有効であるかどうかを、またはそれらの組み合わせを決定するためのコードと、
前記決定することに基づいて、アップリンクシグナリングのために構成された部分において１つまたは複数のサブフレーム上で前記ＰＲＡＣＨを介するシグナリングを送信するためのコードと、ここにおいて、前記送信することは、前記競合タイプインジケータに関して前記決定することに基づいて、前記シグナリングのための通信媒体へのアクセスのために選択的に競合することを備える、
を備える、非一時的コンピュータ可読媒体。
【請求項１５】
アクセスポイントにおける通信方法であって、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定することと、ここにおいて、前記競合タイプインジケータは、前記ＰＲＡＣＨ上での送信のために競合が有効であるかどうか、およびどの程度有効であるかを示す、
ダウンリンクシグナリングのために構成された部分において１つまたは複数のサブフレーム上の前記ＰＲＡＣＨに関連付けられた情報を含むブロードキャストメッセージを送信することと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信することと
を備える、通信方法。
【請求項１６】
通信装置であって、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定するための手段と、ここにおいて、前記競合タイプインジケータは、前記ＰＲＡＣＨ上での送信のために競合が有効であるかどうか、およびどの程度有効であるかを示す、
ダウンリンクシグナリングのために構成された部分において１つまたは複数のサブフレーム上の前記ＰＲＡＣＨに関連付けられたブロードキャストメッセージを送信するための手段と、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信するための手段と
を備える、通信装置。
【請求項１７】
少なくとも１つのプロセッサによって実行されるとき、通信のための動作を前記少なくとも１つのプロセッサに行わせるコードを備える非一時的コンピュータ可読媒体であって、前記非一時的コンピュータ可読媒体は、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定するためのコードと、ここにおいて、前記競合タイプインジケータは、前記ＰＲＡＣＨ上での送信のために競合が有効であるかどうか、およびどの程度有効であるかを示す、
ダウンリンクシグナリングのために構成された部分において１つまたは複数のサブフレーム上の前記ＰＲＡＣＨに関連付けられたブロードキャストメッセージを送信するためのコードと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信するためのコードと
を備える、非一時的コンピュータ可読媒体。
【手続補正２】
【補正対象書類名】明細書
【補正対象項目名】００９９
【補正方法】変更
【補正の内容】
【００９９】
[00114]  前述の開示が様々な例示的な態様を示す一方、様々な変更および修正が、添付の特許請求の範囲によって定義された範囲から逸脱することなく、図示された例に対して行われ得ることに留意されたい。本開示は、具体的に例示された例のみに限定することを示すものではない。例えば、そうではないと明記されない限り、本明細書に説明された本開示の態様に従った方法の請求項の機能、ステップ、および／またはアクションは、特定の順序で実施される必要はないことに留意されたい。さらに、ある特定の態様は、単数形で説明され得るまたは特許請求され得るが、単数形への限定が明記されていない限り、複数形が考慮される。
以下に、本願の出願当初の特許請求の範囲に記載された発明を付記する。
［Ｃ１］
通信方法であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信することと、ここにおいて、前記ブロードキャストメッセージは、競合タイプインジケータ、タイミング前進インジケータ、またはそれらの組み合わせを備える、
前記競合タイプインジケータに基づいて前記ＰＲＡＣＨ上での送信のために競合が有効であるかどうかを、前記タイミング前進インジケータに基づいて前記ＰＲＡＣＨ上での送信のためにアップリンク送信オフセットが有効であるかどうかを、またはそれらの組み合わせを決定することと、
前記決定することに基づいて、アップリンクシグナリングのために構成された部分において１つまたは複数のサブフレーム上で前記ＰＲＡＣＨを介するシグナリングを送信することと
を備える、通信方法。
［Ｃ２］
前記送信することは、前記競合タイプインジケータに関して前記決定することに基づいて、前記シグナリングのための通信媒体へのアクセスのために選択的に競合することを備える、Ｃ１に記載の方法。
［Ｃ３］
前記送信することは、前記タイミング前進インジケータに関して前記決定することに基づいて、サブフレーム境界に関する修正された開始時間に行われる、Ｃ１に記載の方法。
［Ｃ４］
前記ＰＲＡＣＨは、（i）所与のサブフレームに関連付けられた前記シンボル期間の実質的に全てを占有するロングＰＲＡＣＨフォーマット、または（ii）所与のサブフレームに関連付けられた前記シンボル期間の全てに満たないサブセットを占有するショートＰＲＡＣＨフォーマットに対応する、Ｃ１に記載の方法。
［Ｃ５］
前記ブロードキャストメッセージは、クリアチャネルアセスメント（ＣＣＡ）閾値インジケータ、ＣＣＡ持続期間インジケータ、またはそれらの組み合わせをさらに備える、Ｃ１に記載の方法。
［Ｃ６］
前記シグナリングが送信される前記アップリンク部分は、ＰＲＡＣＨ送信のために構成されたサブフレームの終端に位置付けられ、前記送信することは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく行われる、Ｃ１に記載の方法。
［Ｃ７］
前記シグナリングが送信される前記アップリンク部分は、ＰＲＡＣＨ送信のために構成されたサブフレームの始端に位置付けられ、前記送信することは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく行われる、Ｃ１に記載の方法。
［Ｃ８］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信することをさらに備える、Ｃ１に記載の方法。
［Ｃ９］
前記ＰＲＡＣＨは、遮断された送信機会に後続する日和見的な送信のために予約された１つまたは複数のシンボル期間にわたる１つまたは複数のリソースブロック（ＲＢ）を備える、Ｃ１に記載の方法。
［Ｃ１０］
前記ＰＲＡＣＨ内の第２のシンボルのために、または第２のＰＲＡＣＨ試行のために、復調基準信号（ＤＭＲＳ）シーケンスの割り振られたセットからランダムアクセスプリアンブルを送信することをさらに備え、前記ランダムアクセスプリアンブルは、（i）第１のＤＭＲＳシーケンスと同一である、（ii）前記第１のＤＭＲＳシーケンスとは完全に異なる、または（iii）前記第１のＤＭＲＳシーケンスの周期的にシフトされたバージョンである、第２のＤＭＲＳシーケンスに対応する、Ｃ１に記載の方法。
［Ｃ１１］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信することをさらに備える、Ｃ１に記載の方法。
［Ｃ１２］
サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を送信することをさらに備える、Ｃ１に記載の方法。
［Ｃ１３］
ランダムアクセスプロシージャの一部として無線リソース制御（ＲＲＣ）リクエストメッセージの単一の送信または自律的再送信のためにアクセス端末を構成することをさらに備える、Ｃ１に記載の方法。
［Ｃ１４］
通信装置であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するように構成された少なくとも１つのトランシーバと、ここにおいて、前記ブロードキャストメッセージは、競合タイプインジケータ、タイミング前進インジケータ、またはそれらの組み合わせを備える、
少なくとも１つのプロセッサと、
前記少なくとも１つのプロセッサに結合された少なくとも１つのメモリと
を備え、
前記少なくとも１つのプロセッサおよび前記少なくとも１つのメモリは、前記競合タイプインジケータに基づいて前記ＰＲＡＣＨ上での送信のために競合が有効であるかどうかを、前記タイミング前進インジケータに基づいて前記ＰＲＡＣＨ上での送信のためにアップリンク送信オフセットが有効であるかどうかを、またはそれらの組み合わせを決定することを行うように構成される、
前記少なくとも１つのトランシーバは、前記決定することに基づいて、アップリンクシグナリングのために構成された部分において１つまたは複数のサブフレーム上で前記ＰＲＡＣＨを介するシグナリングを送信することを行うようにさらに構成される、通信装置。
［Ｃ１５］
前記少なくとも１つのトランシーバは、前記競合タイプインジケータに関して前記決定することに基づいて、前記シグナリングのための通信媒体へのアクセスのために選択的に競合することを行うようにさらに構成される、Ｃ１４に記載の装置。
［Ｃ１６］
前記少なくとも１つのトランシーバは、前記タイミング前進インジケータに関して前記決定することに基づいて、サブフレーム境界に関する修正された開始時間に前記シグナリングを送信することを行うようにさらに構成される、Ｃ１４に記載の装置。
［Ｃ１７］
前記ＰＲＡＣＨは、（i）所与のサブフレームに関連付けられた前記シンボル期間の実質的に全てを占有するロングＰＲＡＣＨフォーマット、または（ii）所与のサブフレームに関連付けられた前記シンボル期間の全てに満たないサブセットを占有するショートＰＲＡＣＨフォーマットに対応する、Ｃ１４に記載の装置。
［Ｃ１８］
前記ブロードキャストメッセージは、クリアチャネルアセスメント（ＣＣＡ）閾値インジケータ、ＣＣＡ持続期間インジケータ、またはそれらの組み合わせをさらに備える、Ｃ１４に記載の装置。
［Ｃ１９］
前記シグナリングが送信される前記アップリンク部分は、ＰＲＡＣＨ送信のために構成されたサブフレームの終端に位置付けられ、前記少なくとも１つのプロセッサおよび前記少なくとも１つのメモリは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく、前記ＰＲＡＣＨを介して前記シグナリングを送信することを行うようにさらに構成される、Ｃ１４に記載の装置。
［Ｃ２０］
前記シグナリングが送信される前記アップリンク部分は、ＰＲＡＣＨ送信のために構成されたサブフレームの始端に位置付けられ、前記少なくとも１つのプロセッサおよび前記少なくとも１つのメモリは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく、前記ＰＲＡＣＨを介して前記シグナリングを送信することを行うようにさらに構成される、Ｃ１４に記載の装置。
［Ｃ２１］
前記少なくとも１つのトランシーバは、前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信することを行うようにさらに構成される、Ｃ１４に記載の装置。
［Ｃ２２］
前記ＰＲＡＣＨは、遮断された送信機会に後続する日和見的な送信のために予約された１つまたは複数のシンボル期間にわたる１つまたは複数のリソースブロック（ＲＢ）を備える、Ｃ１４に記載の装置。
［Ｃ２３］
前記少なくとも１つのトランシーバは、前記ＰＲＡＣＨ内の第２のシンボルのために、または第２のＰＲＡＣＨ試行のために、復調基準信号（ＤＭＲＳ）シーケンスの割り振られたセットからランダムアクセスプリアンブルを送信することを行うようにさらに構成され、前記ランダムアクセスプリアンブルは、（i）第１のＤＭＲＳシーケンスと同一である、（ii）前記第１のＤＭＲＳシーケンスとは完全に異なる、または（iii）前記第１のＤＭＲＳシーケンスの周期的にシフトされたバージョンである、第２のＤＭＲＳシーケンスに対応する、Ｃ１４に記載の装置。
［Ｃ２４］
前記少なくとも１つのトランシーバは、物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信することを行うようにさらに構成される、Ｃ１４に記載の装置。
［Ｃ２５］
前記少なくとも１つのトランシーバは、サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を送信することを行うようにさらに構成される、Ｃ１４に記載の装置。
［Ｃ２６］
前記少なくとも１つのプロセッサおよび前記少なくとも１つのメモリは、ランダムアクセスプロシージャの一部として無線リソース制御（ＲＲＣ）リクエストメッセージの単一の送信または自律的再送信のためにアクセス端末を構成することを行うようにさらに構成される、Ｃ１４に記載の装置。
［Ｃ２７］
通信装置であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するための手段と、ここにおいて、前記ブロードキャストメッセージは、競合タイプインジケータ、タイミング前進インジケータ、またはそれらの組み合わせを備える、
前記競合タイプインジケータに基づいて前記ＰＲＡＣＨ上での送信のために競合が有効であるかどうかを、前記タイミング前進インジケータに基づいて前記ＰＲＡＣＨ上での送信のためにアップリンク送信オフセットが有効であるかどうかを、またはそれらの組み合わせを決定するための手段と、
前記決定することに基づいて、アップリンクシグナリングのために構成された部分において１つまたは複数のサブフレーム上で前記ＰＲＡＣＨを介するシグナリングを送信するための手段と
を備える、通信装置。
［Ｃ２８］
送信するための前記手段は、前記競合タイプインジケータに関して前記決定することに基づいて、前記シグナリングのための通信媒体へのアクセスのために選択的に競合するための手段を備える、Ｃ２７に記載の装置。
［Ｃ２９］
送信するための前記手段は、前記タイミング前進インジケータに関して前記決定することに基づいて、サブフレーム境界に関する修正された開始時間に前記シグナリングを送信するための手段を備える、Ｃ２７に記載の装置。
［Ｃ３０］
前記ブロードキャストメッセージは、クリアチャネルアセスメント（ＣＣＡ）閾値インジケータ、ＣＣＡ持続期間インジケータ、またはそれらの組み合わせをさらに備える、Ｃ２７に記載の装置。
［Ｃ３１］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信するための手段をさらに備える、Ｃ２７に記載の装置。
［Ｃ３２］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信するための手段をさらに備える、Ｃ２７に記載の装置。
［Ｃ３３］
少なくとも１つのプロセッサによって実行されるとき、通信のための動作を前記少なくとも１つのプロセッサに行わせるコードを備える非一時的コンピュータ可読媒体であって、前記非一時的コンピュータ可読媒体は、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するためのコードと、ここにおいて、前記ブロードキャストメッセージは、競合タイプインジケータ、タイミング前進インジケータ、またはそれらの組み合わせを備える、
前記競合タイプインジケータに基づいて前記ＰＲＡＣＨ上での送信のために競合が有効であるかどうかを、前記タイミング前進インジケータに基づいて前記ＰＲＡＣＨ上での送信のためにアップリンク送信オフセットが有効であるかどうかを、またはそれらの組み合わせを決定するためのコードと、
前記決定することに基づいて、アップリンクシグナリングのために構成された部分において１つまたは複数のサブフレーム上で前記ＰＲＡＣＨを介するシグナリングを送信するためのコードと
を備える、非一時的コンピュータ可読媒体。
［Ｃ３４］
送信するための前記コードは、前記競合タイプインジケータに関して前記決定することに基づいて、前記シグナリングのための通信媒体へのアクセスのために選択的に競合するためのコードを備える、Ｃ３３に記載の非一時的コンピュータ可読媒体。
［Ｃ３５］
送信するための前記コードは、前記タイミング前進インジケータに関して前記決定することに基づいて、サブフレーム境界に関する修正された開始時間に前記シグナリングを送信するためのコードを備える、Ｃ３３に記載の非一時的コンピュータ可読媒体。
［Ｃ３６］
前記ブロードキャストメッセージは、クリアチャネルアセスメント（ＣＣＡ）閾値インジケータ、ＣＣＡ持続期間インジケータ、またはそれらの組み合わせをさらに備える、Ｃ３３に記載の非一時的コンピュータ可読媒体。
［Ｃ３７］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信するためのコードをさらに備える、Ｃ３３に記載の非一時的コンピュータ可読媒体。
［Ｃ３８］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信するためのコードをさらに備える、Ｃ３３に記載の非一時的コンピュータ可読媒体。
［Ｃ３９］
通信方法であって、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定することと、
ダウンリンクシグナリングのために構成された部分において１つまたは複数のサブフレーム上の前記ＰＲＡＣＨに関連付けられた情報を含むブロードキャストメッセージを送信することと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信することと
を備える、通信方法。
［Ｃ４０］
前記ＰＲＡＣＨは、（i）所与のサブフレームに関連付けられた前記シンボル期間の実質的に全てを占有するロングＰＲＡＣＨフォーマット、または（ii）所与のサブフレームに関連付けられた前記シンボル期間の全てに満たないサブセットを占有するショートＰＲＡＣＨフォーマットに対応する、Ｃ３９に記載の方法。
［Ｃ４１］
前記ブロードキャストメッセージは、クリアチャネルアセスメント（ＣＣＡ）閾値インジケータ、ＣＣＡ持続期間インジケータ、またはそれらの組み合わせをさらに備える、Ｃ３９に記載の方法。
［Ｃ４２］
前記シグナリングが受信される前記アップリンク部分は、スペシャルサブフレームのダウンリンク部分とギャップ部分とに後続する前記スペシャルサブフレームの終端に位置付けられ、前記スペシャルサブフレームは、時分割複信（ＴＤＤ）フレーム構造内のダウンリンク−アップリンク遷移境界に位置付けられる、Ｃ３９に記載の方法。
［Ｃ４３］
前記シグナリングが受信される前記アップリンク部分は、スペシャルサブフレームのダウンリンク部分とギャップ部分とに先行する前記スペシャルサブフレームの始端に位置付けられ、前記スペシャルサブフレームは、時分割複信（ＴＤＤ）フレーム構造内のアップリンク−ダウンリンク遷移境界に位置付けられる、Ｃ３９に記載の方法。
［Ｃ４４］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信することをさらに備える、Ｃ３９に記載の方法。
［Ｃ４５］
前記ＰＲＡＣＨは、遮断された送信機会に後続する日和見的な送信のために予約された１つまたは複数のシンボル期間にわたる１つまたは複数のリソースブロック（ＲＢ）を備える、Ｃ３９に記載の方法。
［Ｃ４６］
リソースブロック（ＲＢ）ごとの処理とＲＢにわたる非コヒーレントエネルギ結合とを行うことによって、復調基準信号（ＤＭＲＳ）シーケンスの割り振られたセットから選択されたランダムアクセスプリアンブルを復調することをさらに備える、Ｃ３９に記載の方法。
［Ｃ４７］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを送信することをさらに備える、Ｃ３９に記載の方法。
［Ｃ４８］
サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を受信することをさらに備える、Ｃ３９に記載の方法。
［Ｃ４９］
ランダムアクセスプロシージャの一部として無線リソース制御（ＲＲＣ）リクエストメッセージの単一の送信または自律的再送信のためにアクセス端末を構成することをさらに備える、Ｃ３９に記載の方法。
［Ｃ５０］
通信装置であって、
少なくとも１つのプロセッサと、
前記少なくとも１つのプロセッサに結合された少なくとも１つのメモリと、前記少なくとも１つのプロセッサおよび前記少なくとも１つのメモリは、物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定することを行うように構成され、
ダウンリンクシグナリングのために構成された部分において１つまたは複数のサブフレーム上の前記ＰＲＡＣＨに関連付けられたブロードキャストメッセージを送信することと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信することと
を行うように構成された少なくとも１つのトランシーバと
を備える、通信装置。
［Ｃ５１］
前記ＰＲＡＣＨは、（i）所与のサブフレームに関連付けられた前記シンボル期間の実質的に全てを占有するロングＰＲＡＣＨフォーマット、または（ii）所与のサブフレームに関連付けられた前記シンボル期間の全てに満たないサブセットを占有するショートＰＲＡＣＨフォーマットに対応する、Ｃ５０に記載の装置。
［Ｃ５２］
前記ブロードキャストメッセージは、クリアチャネルアセスメント（ＣＣＡ）閾値インジケータ、ＣＣＡ持続期間インジケータ、またはそれらの組み合わせをさらに備える、Ｃ５０に記載の装置。
［Ｃ５３］
前記シグナリングが受信される前記アップリンク部分は、スペシャルサブフレームのダウンリンク部分とギャップ部分とに後続する前記スペシャルサブフレームの終端に位置付けられ、前記スペシャルサブフレームは、時分割複信（ＴＤＤ）フレーム構造内のダウンリンク−アップリンク遷移境界に位置付けられる、Ｃ５０に記載の装置。
［Ｃ５４］
前記シグナリングが受信される前記アップリンク部分は、スペシャルサブフレームのダウンリンク部分とギャップ部分とに先行する前記スペシャルサブフレームの始端に位置付けられ、前記スペシャルサブフレームは、時分割複信（ＴＤＤ）フレーム構造内のアップリンク−ダウンリンク遷移境界に位置付けられる、Ｃ５０に記載の装置。
［Ｃ５５］
前記少なくとも１つのトランシーバは、前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信することを行うようにさらに構成される、Ｃ５０に記載の装置。
［Ｃ５６］
前記ＰＲＡＣＨは、遮断された送信機会に後続する日和見的な送信のために予約された１つまたは複数のシンボル期間にわたる１つまたは複数のリソースブロック（ＲＢ）を備える、Ｃ５０に記載の装置。
［Ｃ５７］
前記少なくとも１つのプロセッサおよび前記少なくとも１つのメモリは、リソースブロック（ＲＢ）ごとの処理とＲＢにわたる非コヒーレントエネルギ結合とを行うことによって、復調基準信号（ＤＭＲＳ）シーケンスの割り振られたセットから選択されたランダムアクセスプリアンブルを復調すること行うようにさらに構成される、Ｃ５０に記載の装置。
［Ｃ５８］
前記少なくとも１つのトランシーバは、物理アップリンク共有チャネル（ＰＵＳＣＨ）とは異なる最大送信電力を設定する狭帯域ＰＲＡＣＨ波形のためのＰＲＡＣＨ固有の最大送信電力パラメータを送信することを行うようにさらに構成される、Ｃ５０に記載の装置。
［Ｃ５９］
前記少なくとも１つのトランシーバは、サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を受信することを行うようにさらに構成される、Ｃ５０に記載の装置。
［Ｃ６０］
前記少なくとも１つのプロセッサおよび前記少なくとも１つのメモリは、ランダムアクセスプロシージャの一部として無線リソース制御（ＲＲＣ）リクエストメッセージの単一の送信または自律的再送信のためにアクセス端末を構成することを行うようにさらに構成される、Ｃ５０に記載の装置。
［Ｃ６１］
通信装置であって、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定するための手段と、
ダウンリンクシグナリングのために構成された部分において１つまたは複数のサブフレーム上の前記ＰＲＡＣＨに関連付けられたブロードキャストメッセージを送信するための手段と、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信するための手段と
を備える、通信装置。
［Ｃ６２］
前記ブロードキャストメッセージは、クリアチャネルアセスメント（ＣＣＡ）閾値インジケータ、ＣＣＡ持続期間インジケータ、またはそれらの組み合わせをさらに備える、Ｃ６１に記載の装置。
［Ｃ６３］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信するための手段をさらに備える、Ｃ６１に記載の装置。
［Ｃ６４］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを送信するための手段をさらに備える、Ｃ６１に記載の装置。
［Ｃ６５］
少なくとも１つのプロセッサによって実行されるとき、通信のための動作を前記少なくとも１つのプロセッサに行わせるコードを備える非一時的コンピュータ可読媒体であって、前記非一時的コンピュータ可読媒体は、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定するためのコードと、
ダウンリンクシグナリングのために構成された部分において１つまたは複数のサブフレーム上の前記ＰＲＡＣＨに関連付けられたブロードキャストメッセージを送信するためのコードと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信するためのコードと
を備える、非一時的コンピュータ可読媒体。
［Ｃ６６］
前記ブロードキャストメッセージは、クリアチャネルアセスメント（ＣＣＡ）閾値インジケータ、ＣＣＡ持続期間インジケータ、またはそれらの組み合わせをさらに備える、Ｃ６５に記載の非一時的コンピュータ可読媒体。
［Ｃ６７］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信するためのコードをさらに備える、Ｃ６５に記載の非一時的コンピュータ可読媒体。
［Ｃ６８］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを送信するためのコードをさらに備える、Ｃ６５に記載の非一時的コンピュータ可読媒体。